(57)【要約】【課題】  指部先端部分を補強して、指先を有効に保護するとともに、着用時、作業時に違和感ないしは不快感を覚えることがなく、作業時の邪魔になることもない、寿命の長い手袋を提供する。  【解決手段】  手袋本体１の指部１ａ〜１ｄ先端部分の手のひら側において、指用補強片２〜５が、手袋本体１の内側表面に積層状に設けられており、これにより、指用補強片２〜５が作業時等の物を触れた際や掴む際に引っ掛かることがなく、また早期に手袋本体１から剥がれる等の不具合もない。また、指用補強片２〜５の基端縁２ａ〜５ａと手袋本体１の内側表面との積層段部７、７、…が、被覆すべき指の関節位置を外れた箇所に対応して位置するように構成されており、着用時、作業時において、積層段部７、７、…が指の関節８、９に当たったり食い込んで、指に違和感ないしは不快感を覚えることがない。【選択図】  図１
2006249633.tif 000002
【特許請求の範囲】
【請求項１】
手首部位が開口した袋状に形成されてなる手袋本体の指部先端部分において、補強片が手のひら側に付設されてなり、
この補強片は、前記手袋本体の内側表面に積層状に設けられるとともに、補強片の端縁と前記手袋本体の内側表面との積層段部が被覆すべき指の関節位置を外れた箇所に対応して位置するように構成されている
ことを特徴とする手袋。
【請求項２】
前記積層段部が被覆すべき指の第１関節と第２関節との中間位置に対応して位置するように構成されている
ことを特徴とする請求項１に記載の手袋。
【請求項３】
前記積層段部が被覆すべき指の第２関節と第３関節との中間位置に対応して位置するように構成されている
ことを特徴とする請求項１に記載の手袋。
【請求項４】
前記補強片は、前記手袋本体を形成する本体構成片の縫合部位と共に縫合固定されてなり、
少なくとも、これら補強片と本体構成片との縫合部が、被覆すべき手の甲側に位置するように構成されている
ことを特徴とする請求項１から３のいずれか一つに記載の手袋。
【請求項５】
前記手袋本体は、手の甲、手のひら、第２指および第５指をそれぞれ覆うとともに、第３指および第４指の甲側をそれぞれ覆う本体部材と、第１指部を覆う第１指部材と、第３指部の手のひら側を覆う第３指部材と、第４指部の手のひら側を覆う第４指部材とが手首開口を有する袋状に縫製されてなり、
この手袋本体の少なくとも第１指部、第２指部、第３指部および第４指部において、その先端部の手のひら側に前記補強片がそれぞれ縫着されている
ことを特徴とする請求項１から４のいずれか一つに記載の手袋。
【請求項６】
前記手袋本体の各指部における縫合部が、手のひら側を外れた位置になるように構成されている
ことを特徴とする請求項５に記載の手袋。
【発明の詳細な説明】
【技術分野】
【０００１】
本発明は手袋に関し、さらに詳細には、皮革、布地あるいは合成樹脂シート等により製作される手袋において、特に摩耗、損傷の激しい指部先端部分を補強する補強技術に関する。
【背景技術】
【０００２】
作業用、防寒用あるいはスポーツ用として手指に嵌めて使用される各種の手袋においては、主として物を握ったり掴んだりする手のひら側が摩耗、損傷することから、この部位の寿命が手袋自体の寿命を左右することになる。
【０００３】
このような摩耗、損傷しやすい手袋の手のひら側においても、とりわけ指部先端部分は、力を入れて直接的に物を掴む部分であることから、その摩耗、損傷の程度は他の部位と比較にならないほど激しく、この傾向は特に力仕事等で使用する作業用手袋において顕著である。
【０００４】
この点を考慮して、例えば図５に示されるような手袋が開発され提供されている（特許文献1参照）。
【０００５】
この手袋は、手袋本体ａの指部ｂ〜ｆのうち、指の第１指〜第4指用の指部ｂ〜ｅにおける先端部分の手のひら側、つまり指の腹を被覆保護する部位の外側表面に、補強片ｇ、ｇ、…がそれぞれ積層状に縫着されて（ｈは縫合糸）、この部位の摩耗、損傷が可及的に低減される構造とされ、これにより、装着使用者の指先を保護するとともに、手袋自体の耐久性の向上が図られている。
【０００６】
具体的には、上記補強片ｇの形状寸法は、図６（ａ）、（ｂ）に示すように、使用者の指ｉの腹部分ｊに対応した形状寸法に設計されるとともに、使用者による着用時の作業性を考慮して、補強片ｇの長さ方向基端縁ｋが、図６（ａ）に示すように、指ｉの第１関節ｌに対応した位置になるように設定される。
【０００７】
また、補強片ｇの縫着構造は、図６に示すように、その長さ方向基端縁ｋ部分を含めた一部が手袋本体ａの手のひら部ｍに直接２枚重ね状態で縫合されるとともに（図６（ａ）参照）、その他の大部分が、手袋本体ａの手のひら部ｍおよびマチ部材ｎの縫合部ｏと一緒に３枚重ね状態で縫合されている（図６（ｂ）参照）。
【特許文献１】実用新案登録第３０１５２８８号公報
【発明の開示】
【発明が解決しようとする課題】
【０００８】
しかしながら、このような補強構造では、以下のような不具合があり、さらなる改良の余地があった。
【０００９】
（１）補強片ｇが指部ｂ〜ｅの手のひら側の外側表面に縫着される構造では、図６（ａ）に示すように、補強片ｇの長さ方向基端縁ｋにより段部が形成されて、この段部ｋが作業時等の物を触る際や掴む際に引っ掛かり、作業の邪魔になるとともに、この段部ｋの縫合糸ｈが摩耗等により切断してほぐれ、これがため、補強片ｇの剥がれを誘発して、寿命を縮めるなど、耐久性に問題があった。
【００１０】
（２）第２指〜第４指用の指部ｃ〜ｅにおいて、補強片ｇの幅方向両側縁部分と長さ方向先端縁部分は、図６（ａ）、（ｂ）に示すように、手袋本体ａの手のひら部ｍおよびマチ部材ｎの縫合部ｏと一緒に３枚重ね状態で縫合されるとともに、この３枚重ねの縫合部ｏが、図示のごとく手袋本体ａの内側に突起状に存在することになる。しかも、これら縫合部ｏ、ｏ、…は３枚重ね構造ということから、比較的硬くて可撓性に乏しく、指部ｃ〜ｅの柔軟性を低下させている。
【００１１】
これがため、使用者が指ｉを折り曲げる際に、縫合部ｏ、ｏ、…が突っ張って邪魔をして曲げづらいという問題がある。また、縫合部ｏ、ｏ、…が指ｉの手のひら側表面に当たって食い込むので、使用者はこの部位に違和感ないしは不快感を覚え、、この感覚は指ｉを大きく曲げる程に増大する。
【００１２】
本発明は、かかる従来の問題点に鑑みてなされたものであって、その目的とするところは、摩耗、損傷の激しい指部先端部分を補強して、指先を有効に保護するとともに、着用時、作業時に違和感ないしは不快感を覚えることがなく、作業時の邪魔になることもない、寿命の長い手袋を提供することにある。
【課題を解決するための手段】
【００１３】
上記目的を達成するため、本発明の手袋は、手首部位が開口した袋状に形成されてなる手袋本体の指部先端部分において、補強片が手のひら側に付設されてなり、この補強片は、上記手袋本体の内側表面に積層状に設けられるとともに、補強片の端縁と上記手袋本体の内側表面との積層段部が被覆すべき指の関節位置を外れた箇所に対応して位置するように構成されていることを特徴とする。
【００１４】
好適な実施態様として、上記積層段部が被覆すべき指の第１関節と第２関節との中間位置、あるいは第１関節と第２関節との中間位置に対応して位置するように構成される。
【００１５】
また、上記補強片は、上記手袋本体を形成する本体構成片の縫合部位と共に縫合固定されてなり、少なくとも、これら補強片と本体構成片との縫合部が、被覆すべき手の甲側に位置するように構成される。
【００１６】
さらに上記手袋本体は、手の甲、手のひら、第２指および第５指をそれぞれ覆うとともに、第３指および第４指の甲側をそれぞれ覆う本体部材と、第１指部を覆う第１指部材と、第３指部の手のひら側を覆う第３指部材と、第４指部の手のひら側を覆う第４指部材とが手首開口を有する袋状に縫製されてなり、この手袋本体の少なくとも第１指部、第２指部、第３指部および第４指部において、その先端部の手のひら側に上記補強片がそれぞれ縫着される。この場合、上記手袋本体の各指部における縫合部が、手のひら側を外れた位置になるように構成されるのが望ましい。
【発明の効果】
【００１７】
本発明の手袋によれば、手袋本体の指部先端部分の手のひら側に付設される補強片が、上記手袋本体の内側表面に積層状に設けられるとともに、この補強片の端縁と上記手袋本体の内側表面との積層段部が被覆すべき指の関節位置を外れた箇所に対応して位置するように構成されているから、以下に列挙するような効果が得られる。
【００１８】
（１）手袋本体の指部先端部分の手のひら側において、補強片が、手袋本体の内側表面に積層状に設けられているから、この補強片が作業時等の物を掴む際に引っ掛かることがなく、作業の邪魔になったり、補強片が早期に手袋本体から剥がれる等の不具合がない。
【００１９】
これにより、手袋本体における摩耗、損傷の最も激しい指部先端部分を補強して、指先を有効に保護するという補強片本来の機能が長期にわたって有効に発揮され得る。
【００２０】
（２）上記補強片の端縁と上記手袋本体の内側表面との積層段部が、被覆すべき指の関節位置を外れた箇所、例えば、第１関節と第２関節との中間位置、あるいは第２関節と第３関節との中間位置に対応して位置するように構成されているから、着用時、作業時において、この積層段部が指の関節に当たったり食い込んだりすることがなく、指に違和感ないしは不快感を覚えることがない。
【００２１】
（３）上記補強片が、上記手袋本体を形成する本体構成片の縫合部位と共に縫合固定される場合に、少なくとも、これら補強片と本体構成片との縫合部が、被覆すべき手の甲側に位置するように構成されていると、この縫合部は、比較的硬くて可撓性に乏しく、指部の柔軟性を低下させる傾向にあるにもかかわらず、手のひら側に縫合部がある場合のように、使用者が指を折り曲げる際に、縫合部が突っ張って邪魔をして曲げづらいということもない。
【００２２】
また、縫合部が当たる指の手の甲側表面は比較的鈍感な部位で、縫合部が手のひら側のように食い込むようなこともなく、この点からも着用時、使用時に違和感ないしは不快感を覚えることがない。
【発明を実施するための最良の形態】
【００２３】
以下、本発明の実施形態を図面に基づいて詳細に説明する。
【００２４】
本発明に係る手袋を図１および図２に示し、この手袋は、具体的には革製の作業用手袋であって、手袋本体１の手のひら側において、指部先端部分に、指用補強片２〜５が付設されるとともに、手のひら部１ｆを覆って同じく手のひら用補強片６が付設されてなる補強構造を備えてなる。
【００２５】
図示の実施形態においては、指用補強片２〜５は、作業時に最も摩耗、損傷の激しい指部、つまり第１指部１ａ〜第５指部１ｅのうちの第５指部１ｅを除いた指部先端部分にそれぞれ縫着されている。これら指用補強片２〜５は、図３（ｅ）に示すような形状の革製の小片からなり、図２（ａ）〜（ｃ）に示すように、上記手袋本体１の内側表面に積層状に設けられている。
【００２６】
これら指用補強片２〜５の形状寸法は、第1指（親指）、第2指（人差し指）、第3指（中指）および第4指（薬指）の指先手のひら側つまり指の腹を覆うように、これら指の腹の表面形状にそれぞれ対応して設定されている（図３（ｅ）参照）。
【００２７】
また、指用補強片２〜５の長さ寸法は、手袋本体１に付設された際に、各補強片２〜５の長さ方向基端縁（端縁）２ａ〜５ａが指の関節位置を外れた箇所に対応して位置するように構成されている。これにより、各補強片２〜５の基端縁（端縁）２ａ〜５ａと上記手袋本体１の内側表面との積層段部７、７、…が被覆すべき指の関節位置を外れた箇所に対応して位置するようにされている。図示の実施形態においては、図２（ａ）および（ｂ）に示すように、上記積層段部７、７、…が被覆すべき指（図示のものは第２指）８の第１関節９と第２関節１０との中間位置に対応して位置するように構成されている。１１は縫合糸を示す。
【００２８】
上記各補強片２〜５は、後述する手袋本体１を形成する本体構成片２０〜２３（図３参照）の縫合部と共に縫合固定されてなり、少なくとも、これら補強片２〜５と本体構成片２０〜２３との縫合部２５が、図２（ｃ）に示すように、被覆すべき手の甲側に位置するように構成されている。
【００２９】
手のひら用補強片６は、上記指部先端部分と同様に、摩耗、損傷の激しい手のひらを覆う手袋本体１の手のひら部１ｆの外側表面に縫着されている。具体的には、この手のひら補強片６は、図１（ａ）に示すように、第１指部１ａと第２指部１ｂの間部分から手のひら部１ｆ全体を覆う形状の革製の片からなり、その外周縁部と中央部の適所が縫合糸１０により上記手のひら部１ｆの外側表面に密着状に縫着されている。
【００３０】
続いて、このような補強構造を備えた手袋の製造方法について、手袋本体１の構造と共に説明する。
【００３１】
手袋本体１は、手首部位が開口した袋状に縫製されてなるもので、上記指用補強片２〜５および手のひら用補強片６は、この手袋本体１の縫製時に同時に縫着される。
【００３２】
図示の実施形態の手袋本体１は、いわゆるガンカット構造とされてなるもので、図３に示すように、型紙に合わせて裁断された複数枚の手袋本体構成片２０〜２３が縫製されて形成され、具体的には、本体部材２０、第１指部材２１、第３指部材２２および第４指部材２３からなる。
【００３３】
本体部材２０は、手の甲、手のひら、第２指（人差し指）および第５指（小指）をそれぞれ覆うとともに、第３指（中指）および第４指（薬指）の甲側をそれぞれ覆うもので、具体的には図３（ａ）に示すような形状とされ、図１の縫製された手袋本体１において、手のひら部１ｆ、手の甲部１ｇ、第２指部１ｂおよび第５指部１ｅの全体、ならびに第３指部１ｃおよび第４指部１ｄの甲側部分をそれぞれ形成する。２０ａ〜２０ｃは、それぞれ縫製時の折り返し部を示している。また、本体部材２０の手のひら部１ｆとなる部位には、第１指部材２１を縫合接続するための接続開口２０ｂが開設されている。
【００３４】
第１指部材２１は、第１指（親指）を覆うもので、具体的には図３（ｂ）に示すような形状とされ、図１の縫製された手袋本体１において、第１指部１ａを形成する。２１ａは縫製時の折り返し部を示している。
【００３５】
第３指部材２２は、第３指の手のひら側を覆うもので、具体的には図３（ｃ）に示すような形状とされ、図１の縫製された手袋本体１において、第３指部１ｃの手のひら側部分を形成する。
【００３６】
第４指部材２３は、第４指の手のひら側を覆うもので、具体的には図３（ｄ）に示すような形状とされ、図１の縫製された手袋本体１において、第４指部１ｄの手のひら側部分を形成する。
【００３７】
なお、これら手袋本体構成片２０〜２３は、縫製された手袋本体１における各指部における縫合部（上記指用補強片２〜５との縫合部２５、２５、…を含む）が、手のひら側を外れた位置になるように構成されている。具体的には、図３（ａ）〜（ｄ）を参照いて、本体部材２０において、手のひら側に連続形成される第２指部１ｂおよび第５指部１ｅの手のひら側となる部位の幅寸法Ｌｂ、Ｌｅは、手の甲側に連続形成される第２指部１ｂおよび第５指部１ｅの手の甲側となる部位の幅寸法ｌｂ、ｌｅよりも大きく設定されている。同様に、第３指部１ｃおよび第４指部１ｄの手のひら側を形成する第３指部材２２および第４指部材２３の幅寸法Ｌｃ、Ｌｄは、本体部材２０の手の甲側に連続形成される第３指部１ｂおよび第４指部１ｅの手の甲側となる部位の幅寸法ｌｃ、ｌｄよりも大きく設定されている。
【００３８】
これに対応して、上記指用補強片３〜５の幅寸法Ｌ３〜Ｌ５も、本体部材２０の第２指部１ｂの手のひら側となる部位の幅寸法Lｂ、第３指部材２２および第４指部材２３の幅寸法ＬｃおよびＬｄとそれぞれ同一寸法とされている。
【００３９】
このように、第２指部１ｂ〜第５指部１ｅにおいて、手の甲側よりも手のひら側を形成する部位の幅寸法が大きく設定されることにより、両者縫合時に、手のひら側を形成する部位が手の甲側へ回り込む結果、各指部１ｂ〜１ｅにおける縫合部２５、２５、…が、図２（ｃ）に示すように、手のひら側を外れて手の甲側に位置することとなる。
【００４０】
これらの手袋本体構成片２０〜２３を縫合する順序は、（ｉ）まず、指用補強片２〜５および手のひら補強片６を、本体部材２０、第１指部材２１、第３指部材２２および第４指部材２３の各所定箇所にそれぞれ縫着し、（ii）続いて、第１指部材２１、第３指部材２２、第４指部材２３を、図４に示すように、本体部材２０の各所定箇所にそれぞれ縫着し、（iii）この後、本体部材２０を折り返し部２０ａ、２０ｂおよび２０ｃでれ折り曲げて周囲縁部をそれぞれ重ね合わせ、これら周囲縁部の重合箇所を手首部位を除いて縫合する。これにより、図１（ｂ）に示すように、手首部位が開口した袋状の手袋本体１が裏返し状態で縫製される。（iv）最後に、これを表裏全体を裏返すことにより、図１（ａ）に示す作業用手袋が完成する。この作業用手袋においては、指用補強片２〜５が手袋本体１の内側表面に積層状に設けられるとともに、手のひら用補強片６が手袋本体１の手のひら部１ｆの外側表面に積層状に設けられることとなる。
【００４１】
しかして、以上のように構成された手袋においては、手袋本体１の第１〜第４指部１ａ〜１ｄ先端部分の手のひら側において、指用補強片２〜５が、手袋本体１の内側表面に積層状に設けられて、外側表面に露出しないから、これら指用補強片２〜５が作業時等の物を触れた際や掴む際に引っ掛かることがなく、作業の邪魔になったり、指用補強片２〜５が早期に手袋本体１から剥がれる等の不具合がない。
【００４２】
これにより、手袋本体１における摩耗、損傷の最も激しい第１〜第４指部１ａ〜１ｄの先端部分を補強して、指先を有効に保護するという補強片本来の機能が長期にわたって有効に発揮され得る。
【００４３】
また、上記指用補強片２〜５の基端縁２ａ〜５ａと手袋本体１の内側表面との積層段部７、７、…が、被覆すべき指の関節位置を外れた箇所、具体的には、第１関節９と第２関節１０との中間位置に対応して位置するように構成されているから、着用時、作業時において、これら積層段部７、７、…が指の関節８、９に当たったり食い込んだりすることがなく、指に違和感ないしは不快感を覚えることがない。
【００４４】
また、指用補強片２〜５が、上記手袋本体１を形成する本体構成片２０〜２３の縫合部位と共に縫合固定される場合に、少なくとも、これら指用補強片２〜５と本体構成片２０〜２３との縫合部２５、２５、…が、被覆すべき手の甲側に位置するように構成されているので、これら縫合部２５、２５、…は、比較的硬くて可撓性に乏しく、指部の柔軟性を低下させる傾向にあるにもかかわらず、手のひら側に縫合部がある構造の従来の手袋（図５および図６参照）のように、使用者が指を折り曲げる際に、縫合部２５、２５、…が突っ張って邪魔をして曲げづらいということもない。
【００４５】
特に、図示の実施形態のようなガンカット構造の手袋本体１においては、図５および図６に示す手袋のようなマチ部材ｎを使用しないので、このマチ部材ｎの分だけ手のひら側部位を形成するの部材の幅方向寸法を大きくとることで、上記縫合部２５、２５、…を容易に甲側に位置させることができる。
【００４６】
また、縫合部２５、２５、…が当たる指の手の甲側表面は比較的鈍感な部位で、縫合部２４、２５が手のひら側のように食い込むようなこともなく、この点からも着用時、使用時に違和感ないしは不快感を覚えることがない。
【００４７】
なお、上述した実施形態はあくまでも本発明の好適な実施態様を示すものであって、本発明はこれに限定されることなく、その範囲において種々の設計変更が可能であり、例えば、以下に列挙するような改変が可能である。
【００４８】
（１）  図示の実施形態においては、各補強片２〜５の長さ方向基端縁２ａ〜５ａつまり手袋本体１の内側表面との積層段部７、７、…が指８の第１関節９と第２関節１０との中間位置に対応して位置するように構成されて、作業時に最も摩耗、損傷の激しい指部先端部分を補強する必要最小限の大きさに設定されているが、積層段部７、７、…が指８の第２関節１０と第３関節（付け根）（図示省略）との中間位置に対応して位置するように構成されて、指部先端部分を含む指部全体が補強される構造としても良い。
【００４９】
（２）  図示の実施形態においては、指用補強片２〜５および手のひら用補強片６はいずれも、手袋本体１が縫製される際に、同時にこの手袋本体１に縫着される構造とされているが、接着剤等他の固定方法により付設されてもい。
【００５０】
（３）  図示の実施形態においては、手袋本体１の第１指部１ａ、第２指部１ｂ、第３指部１ｃおよび第４指部１ｄの先端部に上記補強片２〜５がそれぞれ付設されているが、第５指部１ｅの先端部にも付設される構造としてもよく、この場合の付設構造条件は前述した他の部位と同様である。
【００５１】
（４）  図示の実施形態においては、補強片２〜６の素材として皮革を用いているが、これに限定されるものではなく、手袋本体１の補強部材として有効な素材であれば、どのようなものでも使用可能であり、目的に応じて種々選択され得る。
【００５２】
（５）  同様に、手袋本体１の素材も、図示の実施形態においては、作業用手袋ということで、比較的丈夫な革製とされているが、消防用、スポーツ用あるいは防寒用など、目的に応じて種々設計変更可能である。
【００５３】
（６）  図示の実施形態は、縫製距離および縫製工程が少なく、量産に適したガンカット構造の手袋本体１とされているが、本発明の補強構造は、図５および図６に示すようなマチ部材ｎを使用する手袋にも適用可能である。
【図面の簡単な説明】
【００５４】
【図１】本発明の一実施形１である作業用手袋を示し、図１（ａ）は表側正面図、図１（ｂ）は裏側正面図である。
【図２】同手袋を手指に着用した状態の指部を示し、図２（ａ）は指を伸ばした状態の第２指部を一部切開して示す側面図、図２（ｂ）は指を曲げた状態の第２指部を一部切開して示す側面図、図２（ｃ）は図２（ａ）におけるＣ−Ｃ線に沿った第２指部と第３指部の断面図である。
【図３】同手袋の手袋本体を構成する本体構成片を示す展開図で、図３（ａ）は本体部材、図３（ｂ）は第１指部材、図３（ｃ）は第３指部材、図３（ｄ）は第４指部材、図３（ｅ）は指用補強片をそれぞれ示す。
【図４】同手袋を分解して示す斜視図である。
【図５】従来の補強構造を備える作業用手袋を示す正面図である。
【図６】同手袋を手指に着用した状態の指部を示し、図６（ａ）は指を曲げた状態の第２指部の側面断面図、図６（ｂ）は第２指部の正面断面図である。
【符号の説明】
【００５５】
１                手袋本体
１ａ〜１ｅ        第１〜第５指部
１ｆ              手のひら部
１ｇ              手の甲部
２〜５            指用補強片
２ａ〜５ａ        指用補強片の基端縁（端縁）
６                手のひら補強片
７                積層段部
８                指
９                指の第１関節
１０              指の第２関節
１１              縫合糸
２０              本体部材
２１              第１指部材
２２              第３指部材
２３              第４指部材
２５              縫合部
【図１】
2006249633.tif 000003
【図２】
2006249633.tif 000004
【図３】
2006249633.tif 000005
【図４】
2006249633.tif 000006
【図５】
2006249633.tif 000007
【図６】
2006249633.tif 000008